(57)【要約】【課題】一取引分の買上商品に付された無線タグのデータを一括して読取らせるだけでその商品販売データの売上処理と同時に値引処理も行うことができるようにする。【解決手段】一取引分の買上商品にそれぞれ付された商品用無線タグから当該タグが付されている商品に関するデータを読み取っている期間中に、値引データが記憶されている値引用無線タグから値引データを読み取ったか否かを判断し、値引データ読取り有りが判断されると、その値引データを記憶する。一取引分の商品用無線タグデータ読取期間完了後、値引データが記憶されているか否かを判断し、値引データの記憶有りが判断されると、当該一取引分の買上商品の販売データを値引データ記憶手段により記憶されている値引データで値引処理する。【選択図】      図７
2006227997.tif 000002
【特許請求の範囲】
【請求項１】
アンテナの交信領域内にある全ての無線タグのメモリ情報を一括読取可能な無線タグリーダを有し、この無線タグリーダで一取引分の買上商品にそれぞれ付された商品用無線タグから当該タグが付されている商品に関するデータを読み取り、その読み取ったデータに基づいて前記一取引分の買上商品の販売データを売上げ処理する商品販売データ処理装置において、
前記一取引分の買上商品にそれぞれ付された商品用無線タグから当該タグが付されている商品に関するデータを読み取っている期間中に、値引データが記憶されている値引用無線タグから値引データを読み取ったか否かを判断する値引データ判断手段と、
この値引データ判断手段により値引用無線タグからの値引データ読取り有りが判断されると、その値引データを記憶する値引データ記憶手段と、
前記一取引分の買上商品にそれぞれ付された商品用無線タグから当該タグが付されている商品に関するデータを読み取る期間完了後、前記値引データ記憶手段により値引データが記憶されているか否かを判断する値引有無判断手段と、
この値引有無判断手段により値引データの記憶有りが判断されると、当該一取引分の買上商品の販売データを前記値引データ記憶手段により記憶されている値引データで値引処理する値引演算手段と、
を具備したことを特徴とする商品販売データ処理装置。
【請求項２】
前記値引用無線タグに記憶される値引データは、値引額を含み、
前記値引演算手段は、前記値引データ記憶手段により記憶されている値引データの値引額を合計し、前記一取引分の買上商品の価格合計額から前記値引額の合計額を減算することを特徴とする請求項１記載の商品販売データ処理装置。
【請求項３】
前記値引用無線タグに記憶される値引データは、値引が有効となる価格の下限額である値引対象額と値引額または割引率とを含み、
前記値引演算手段は、前記一取引分の買上商品の中に価格が値引用無線タグから読み取った値引対象額以上の商品がある場合に、その商品の価格を当該値引用無線タグから読取った値引額または割引率で値引処理することを特徴とする請求項１記載の商品販売データ処理装置。
【請求項４】
前記値引用無線タグに記憶される値引データは、有効期限データをさらに含み、
前記一取引分の買上商品にそれぞれ付された商品用無線タグから当該タグが付されている商品に関するデータを読み取っている期間中に前記値引用無線タグから値引データを読取ると、その値引データ中の有効期限データに基づいて当該値引用無線タグが有効期限切れか否かを判定するタグ期限判定手段をさらに具備し、
前記値引データ記憶手段は、前記タグ期限判定手段により有効期限切れでないと判定された前記値引用無線タグから読取った値引データを記憶することを特徴とする請求項２または３記載の商品販売データ処理装置。
【発明の詳細な説明】
【技術分野】
【０００１】
本発明は、無線タグリーダを備え、この無線タグリーダで１取引分の商品にそれぞれ付された無線タグからその商品に関するデータを読取って売上げ処理するＰＯＳ（Point Of Sales）端末等の商品販売データ処理装置に関する。
【背景技術】
【０００２】
近年、アンテナの交信領域内にある全ての無線タグのメモリ情報を一括読取可能な無線タグリーダを有し、この無線タグリーダで一取引分の買上商品にそれぞれ付された商品用無線タグから当該タグが付されている商品に関するデータを読み取り、その読み取ったデータに基づいて一取引分の買上商品の販売データを売上げ処理する商品販売データ処理装置が考えられている（例えば、特許文献１参照）。
【０００３】
また、商品にバーコードとともに値引に関するデータを記録した無線タグを付し、バーコードのスキャニングと同時に無線タグの値引に関するデータを読取って値引処理するようにした商品販売データ処理装置も考えられている（例えば、特許文献２参照）。
【特許文献１】特開平１０−０４９７５６号公報
【特許文献２】特開平１１−２５０３５１号公報
【発明の開示】
【発明が解決しようとする課題】
【０００４】
しかしながら、商品に、当該商品に関するデータが記憶された商品用無線タグと当該商品の値引に関するデータが記憶された値引用無線タグとを付し、一取引分の買上商品に付された無線タグのデータを一括して読取ることによってその商品販売データの売上処理と同時に値引処理も行えるようにしたものはなかった。
【０００５】
本発明はこのような事情に基づいてなされたもので、その目的とするところは、一取引分の買上商品に付された無線タグのデータを一括して読取らせるだけでその商品販売データの売上処理と同時に値引処理も行うことができ、値引を含んだ商品登録作業の簡略化を図ることができる商品販売データ処理装置を提供しようとするものである。
【課題を解決するための手段】
【０００６】
本発明は、アンテナの交信領域内にある全ての無線タグのメモリ情報を一括読取可能な無線タグリーダを有し、この無線タグリーダで一取引分の買上商品にそれぞれ付された商品用無線タグから当該タグが付されている商品に関するデータを読み取り、その読み取ったデータに基づいて一取引分の買上商品の販売データを売上げ処理する商品販売データ処理装置において、一取引分の買上商品にそれぞれ付された商品用無線タグから当該タグが付されている商品に関するデータを読み取っている期間中に、値引データが記憶されている値引用無線タグから値引データを読み取ったか否かを判断する値引データ判断手段を設ける。そして、この値引データ判断手段によって値引用無線タグからの値引データ読取り有りが判断されると、値引データ記憶手段によってその値引データを記憶する。また、一取引分の買上商品にそれぞれ付された商品用無線タグから当該タグが付されている商品に関するデータを読み取る期間完了後、値引データが記憶されているか否かを判断する値引有無判断手段を設ける。そして、この値引有無判断手段によって値引データの記憶有りが判断されると、値引演算手段により当該一取引分の買上商品の販売データを値引データ記憶手段により記憶されている値引データで値引処理するようにしたものである。
【発明の効果】
【０００７】
かかる手段を講じた本発明によれば、一取引分の買上商品に付された無線タグのデータを一括して読取らせるだけでその商品販売データの売上処理と同時に値引処理も行うことができ、値引を含んだ商品登録作業の簡略化を図ることができる商品販売データ処理装置を提供できる。
【発明を実施するための最良の形態】
【０００８】
以下、本発明を実施するための最良の形態について説明する。  
なお、この実施の形態は、図１に示すように、アンテナ１の交信領域内にある全ての無線タグのメモリ情報を一括読取可能な無線タグリーダライタ２を有し、この無線タグリーダライタ２で一取引分の買上商品３にそれぞれ付された商品用無線タグ４から当該タグ４が付されている商品３に関するデータを読み取り、その読み取ったデータに基づいて一取引分の買上商品３の販売データを売上げ処理するＰＯＳ（Point Of Sales）端末５に本発明を適用した場合である。
【０００９】
アンテナ１は、１取引分の買上商品３をまとめて載置するための台６に埋設されている。無線タグリーダライタ２は、上記アンテナ１を介して台６の上に置かれた全ての商品３にそれぞれ付されている無線タグ４との間でデータの伝送を安定的に行えるようになっている。
【００１０】
各商品にそれぞれ付されている商品用無線タグ４は、アンテナとＩＣチップとから構成されており、無線タグリーダライタ２のアンテナ１と交信することによって、ＩＣチップのメモリに記憶しているデータを電波に変調して発信する。ＩＣチップのメモリには、図２に示すように、当該無線タグ固有の識別コードであるタグＩＤ以外に、タグ種別コード，商品コード，商品名，単価等のデータが記憶されている。タグ種別コードは、当該無線タグ４が商品用無線タグであることを識別するためのコードであり、本実施の形態では“０”とする。商品コード，商品名及び単価は、当該無線タグ４が付されている商品に関するデータである。
【００１１】
ＰＯＳ端末５は、商品販売データ処理装置の一態様であり、ＣＰＵ（Central Processing Unit）５１，ＲＯＭ（Read Only Memory）５２，ＲＡＭ（Random Access Memory）５３，時計部５４，無線タグリーダライタ２とのインターフェイス５５，ホスト装置とのインターフェイス５６，キーボード５７，オペレータ用ディスプレイ５８，客用ディスプレイ５９，レシート印字を行うためのプリンタ６０，現金等を収容するためのドロワ６１等で構成されている。
【００１２】
キーボード５７には、１商取引の買上商品登録開始を宣言する登録キー、登録終了を宣言する小計キー、預り金額等の数値データを入力する置数キー、１商取引の締めを宣言する締めキー等が配設されている。
【００１３】
さて、本実施の形態では、図３に示すような値引クーポンシート７を用いる。この値引クーポンシート７には、２種類の値引シール７１，７２が各３枚ずつ設けられている。一方の値引シール７１は、本日午後１時までに単価５００円以上の商品を買い上げると５０円値引するというシールである。他方の値引シール７１は、本日午後１時までに単価１００円以上の商品を買い上げると２０円値引するというシールである。いずれのシール７１，７２も、その裏面側にアンテナとＩＣチップとからなる値引用無線タグ７３が設けられている。
【００１４】
値引用無線タグ７３におけるＩＣチップのメモリには、図４に示すように、当該無線タグ固有の識別コードであるタグＩＤ以外に、タグ種別コード，値引額，値引が有効となる価格の下限額である値引対象額，有効期限等のデータが記憶されている。タグ種別コードは、当該無線タグ７３が値引用無線タグであることを識別するためのコードであり、本実施の形態では“１”とする。値引額，値引対象額，有効期限は、当該無線タグ７３が付されている値引シール７１，７２の値引に関するデータである。すなわち、一方の値引シール７１に付された値引用無線タグ７３には、値引額として５０円が、値引対象額として５００円が、有効期限として本日日付の１３：００が記憶されている。また、他方の値引シール７２に付された値引用無線タグ７３には、値引額として２０円が、値引対象額として１００円が、有効期限として本日日付の１３：００が記憶されている。
【００１５】
上記値引クーポンシート７は、例えば午前中に入店する買物客に配布される。値引クーポンシート７を受け取った買物客は、買上商品のなかに単価が５００円以上の商品があれば値引額５０円の値引シール７１を、単価が１００円以上の商品があれば値引額２０円の値引シール７２を適宜貼り付ける。そして、他の買上商品とともに会計まで持って行き、会計に用意されている台６に買上商品を全品載せる。
【００１６】
一方、店の会計担当者は、客の買上商品が台６に全て載せられたのを確認すると、ＰＯＳ端末５におけるキーボード５７の登録キーを押下する。そうすると、ＰＯＳ端末５では、図６の流れ図に示す手順の商取引処理がＣＰＵ５１によって実行されるものとなっている。
【００１７】
すなわちＣＰＵ５１は、ＳＴ（ステップ）１として登録キーが操作入力されたことを検知すると、ＳＴ２として図５に示すデータ構造の商品情報テーブル８１及び値引情報テーブル８２をクリアする。なお、商品情報テーブル８１及び値引情報テーブル８２は、いずれもＲＡＭ５３に形成されている。
【００１８】
次にＣＰＵ５１は、ＳＴ３としてインターフェイス５５を介して無線タグリーダライタ２に無線タグ読取始動コマンドを送信する。これにより、無線タグリーダライタ２のアンテナ１から所定周波数の電波が発信される。この電波は、台６の上に置かれている買上商品３に対して予め付されている商品用無線タグ４のアンテナで受信される。また、買上商品３に値引シール７１，７２が貼り付けられていた場合には、その値引シール７１，７２に設けられている値引用無線タグ７３のアンテナでもこの電波が受信される。
【００１９】
電波を受信した無線タグ４，７３は、活性化される。そして、メモリに記憶されているデータが電波に変調されてアンテナから発信される。この電波は、無線タグリーダライタ２のアンテナ１で受信される。すなわち、商品用無線タグ４が活性化された場合には、タグ種別コード“０”と、商品コード，商品名，単価等の商品データとからなる変調波がアンテナ１で受信される。また、値引用無線タグ７３が活性化された場合には、タグ種別コード“１”と、値引額，値引対象額，有効期限等の値引データとからなる変調波がアンテナ１で受信される。アンテナ１で受信された変調波は、無線タグリーダライタ２で復調され、無線タグ読取データとしてＰＯＳ端末５に伝送される。
【００２０】
そこでＰＯＳ端末５のＣＰＵ５１は、無線タグ読取始動コマンドを送信後、小計キーが操作入力されるまでの期間中、無線タグ読取データが送られてくるのを待機する。そして、ＳＴ４として無線タグ読取データを受信する毎に、ＣＰＵ５１は以下の処理を実行する。
【００２１】
先ず、ＳＴ５として受信した無線タグ読取データ中のタグ種別コードを調べ、当該無線タグ読取データが商品用無線タグ４のデータであるか、値引用無線タグ７３のデータであるかを判断する（値引データ判断手段）。
【００２２】
ここで、タグ種別コードが“０”であった場合には、当該無線タグ読取データは商品用無線タグ４のデータであるので、ＣＰＵ５１は、ＳＴ６として当該無線タグ読取データから商品コード，商品名及び単価を取得し、点数＝１、金額＝単価、値引額＝０の各データとともに商品情報テーブル８１に追加格納する。また、ＳＴ７としてオペレータ用ディスプレイ５８及び客用ディスプレイ５９に商品名及び金額を表示させる。
【００２３】
これに対し、タグ種別コードが“１”であった場合には、当該無線タグ読取データは値引用無線タグ７３のデータであるので、ＣＰＵ５１は、ＳＴ８として当該無線タグ読取データから有効期限データを取得し、時計部５４にて計時されている現在日時と比較して有効期限切れか否かを判定する（タグ期限判定手段）。そして、有効期限切れでない場合には、ＣＰＵ５１は、ＳＴ９として当該無線タグ読取データの値引額と値引対象額とを値引情報テーブル８２に追加格納する（値引データ記憶手段）。なお、有効期限切れの場合には、その無線タグ読取りデータを破棄する。
【００２４】
ＣＰＵ５１は、ＳＴ１０として小計キーが操作入力されたことを検知すると、ＳＴ１１として無線タグリーダライタ２に対して無線タグ読取停止コマンドを送信する。これにより、無線タグリーダライタ２のアンテナ１から発信されていた電波が停止し、無線タグデータの読取り動作が終了する。
【００２５】
次にＣＰＵ５１は、ＳＴ１２として値引情報テーブル８２に値引情報（値引額，値引対象額）が記憶されているか否かを判断する（値引有無判断手段）。ここで、値引情報が記憶されている場合には、ＣＰＵ５１は、ＳＴ１３として図７に具体的に示す商品値引処理を実行する（値引演算手段）。
【００２６】
先ずＣＰＵ５１は、ＳＴ２１として商品情報テーブル８１の商品情報（商品コード，商品名，単価，点数，金額，値引額）を単価の大きい順に番号＝１からソートする。また、ＳＴ２２として値引情報テーブル８２の値引情報（値引額，値引対象額）を値引対象額の大きい順に番号＝１からソートする。
【００２７】
次にＣＰＵ５１は、ＳＴ２３として番号カウンタＡ，Ｂをいずれも“１”に初期化する。次にＣＰＵ５１は、ＳＴ２４として商品情報テーブル８１からＡ番目（Ａは番号カウンタＡのカウント値）の商品情報を取得するとともに値引情報テーブル８２からＢ番目（Ｂは番号カウンタＢのカウント値）の値引情報を取得し、Ａ番目商品情報中の単価とＢ番目値引情報中の値引対象額とを比較する。
【００２８】
ここで、ＳＴ２５として単価が値引対象額以上であった場合には、Ｂ番目値引情報の値引が正当なので、ＣＰＵ５１は、ＳＴ２６として商品情報テーブル８１におけるＡ番目商品情報の値引額データ（＝０）をＢ番目値引情報の値引額に書き換える。また、ＳＴ２７としてオペレータ用ディスプレイ５８及び客用ディスプレイ５９に表示されているＡ番目商品情報の商品名及び金額と対応付けてＢ番目値引情報の値引額を表示させる。しかる後、ＳＴ２８として番号カウンタＡを“１”だけ増加させる。
【００２９】
ＳＴ２５にて単価が値引対象額未満であった場合には、Ｂ番目値引情報の値引は不当なので、ＣＰＵ５１は、ＳＴ２６〜ＳＴ２８の処理を実行しない。
【００３０】
その後、ＣＰＵ５１は、ＳＴ２９としてＢ番目カウンタを“１”だけ増加させる。そして、ＳＴ３０として値引情報テーブル８２にＢ番目値引情報が記憶されているか否かを判断する。ここで、Ｂ番目値引情報が記憶されている場合には、ＣＰＵ５１は、ＳＴ２４〜ＳＴ３０の各処理を再度実行する。
【００３１】
ＳＴ３０にて値引情報テーブル８２にＢ番目値引情報が記憶されていないことを確認した場合には、ＣＰＵ５１は、ＳＴ３１として商品情報テーブル８１に記憶されている商品情報の販売金額合計から値引額合計を減算して小計額を算出する。そして、この商品値引処理を終了し、図６のＳＴ１４の処理に進む。すなわち、ＳＴ３１にて算出された値引後の小計額をオペレータ用ディスプレイ５８と客用ディスプレイ５９に表示させる。
【００３２】
ＳＴ１２にて値引情報が記憶されていない場合には、ＣＰＵ５１は、ＳＴ１４の処理に進む。すなわち、商品情報テーブル８１に記憶されている商品情報の販売金額合計を小計額としてオペレータ用ディスプレイ５８と客用ディスプレイ５９に表示させる。
【００３３】
その後、ＣＰＵ５１は、ＳＴ１５として締めキーが操作入力されるのを待機する。そして、締めキーが操作入力されたことを検知したならば、ＣＰＵ５１は、ＳＴ１６として商品販売データ登録処理を行う。すなわち、商品情報テーブル８１に記憶されている商品情報から商品コード，点数，金額，値引額の商品販売データを生成し、ＲＡＭ５３の売上集計エリアに登録処理する。また、ＳＴ１７として決済処理を行う。すなわち、現金支払いの場合には預り金額と請求金額とから釣銭を算出し、オペレータ用ディスプレイ５８と客用ディスプレイ５９に表示させる。
【００３４】
しかる後、ＣＰＵ５１は、ＳＴ１８として商品情報テーブル８１のデータに基づいて当該商取引のレシート印字データを作成する。そして、プリンタ６０に出力してレシートを印字発行させる。また、ＳＴ１９としてドロワ６１を開放させる。以上で、１商取引に対する処理を完了する。
【００３５】
このように構成された本実施の形態が構築されている小売店において、今、値引クーポンシート７を受け取った買物客が、単価７００円の商品Ａを２点と、単価４００円の商品Ｂを１点と、単価２００円の商品Ｃを１点と、単価８０円の商品Ｄを２点の計６点を台６に載せたとする。ここで、商品Ａには２点とも値引額５０円の値引シール７１が貼り付けられており、商品Ｂと商品Ｃにはそれぞれ値引額２０円の値引シール７２が貼り付けられていたとする。
【００３６】
会計担当者は、客の買上商品全品が台６に載せられたことを確認したならば、ＰＯＳ端末５の登録キーを操作する。そうすると、無線タグリーダライタ２による無線タグの読取動作が開始される。これにより、各商品Ａ，Ｂ，Ｃ，Ｄに予め付されている商品用無線タグ４のデータが読み取られる。また、商品Ａ，Ｂ，Ｃにそれぞれ付された値引シール７１，７２に設けられている値引用無線タグ７３のデータも読取られる。
【００３７】
会計担当者は、オペレータ用ディスプレイ５８の表示内容から無線タグデータの一括読取り完了を確認すると、小計キーを操作する。そうすると、商品情報テーブル８１内の商品情報が価格の大きい順番にソートされる。すなわち、商品情報テーブル８１の１番目と２番目に商品Ａの商品情報がセットされ、３番目に商品Ｂの商品情報がセットされ、４番目に商品Ｃの商品情報がセットされ、５番目と６番目に商品Ｄの商品情報がセットされる。また、値引情報テーブル８２内の値引情報が値引対象額の大きい順番にソートされる。すなわち、値引情報テーブル８２の１番目と２番目に値引シール７１の値引情報がセットされ、３番目と４番目に値引シール７２の値引情報がセットされる。
【００３８】
そして先ず、１番目の値引情報の値引対象額５００円と１番目の商品情報の価格７００円が比較される。この場合、商品価格は値引対象額以上なので、１番目の商品情報に値引額５０円がセットされる。次に、２番目の値引情報の値引対象額５００円と２番目の商品情報の価格７００円が比較される。この場合も商品価格は値引対象額以上なので、２番目の商品情報に値引額５０円がセットされる。
【００３９】
次に、３番目の値引情報の値引対象額１００円と３番目の商品情報の価格４００円が比較される。この場合、商品価格は値引対象額以上なので、３番目の商品情報に値引額２０円がセットされる。最後に、４番目の値引情報の値引対象額１００円と４番目の商品情報の価格２００円が比較される。この場合も商品価格は値引対象額以上なので、４番目の商品情報に値引額２０円がセットされる。
【００４０】
かくして、買上商品の販売金額合計２１６０円から値引額合計１４０円が値引されて、当該商取引の小計金額２０２０円が算出される。そして、この小計金額２０２０円がオペレータ用ディスプレイ５８及び客用ディスプレイ５９に表示される。そこで会計担当者は、この小計金額２０２０円に対する支払いを受ける。ここで、客が現金２１００円を支払ったとすると、預かり金額２１００を置数後、締めキーの１種である預／現計キーを操作する。そうすると、各買上商品の販売データが売上処理される。この場合、商品Ａについては２点ともそれぞれ５０円の値引が行われ、商品ＢとＣについては２０円の値引がそれぞれ行われて売上処理される。また、釣浅額８０円が算出され、オペレータ用ディスプレイ５８及び客用ディスプレイ５９に表示されるとともに、図８に示す内容のレシートが印字発行される。そこで会計担当者は、釣浅額８０円を揃えレシートともに客に渡す。以上で、当該客との商取引が完了する。
【００４１】
ところで、上述した買物例において、買物客が商品Ｄの２点にも値引シール７２を貼り付けた場合には、値引情報テーブル８２の５番目と６番目に値引シール７２の値引情報がセットされる。しかし、この場合には、５番目の値引情報の値引対象額１００円と５番目の商品情報の価格８０円が比較された際に、商品価格が値引対象額未満なので値引不成立となる。同様に、６番目の値引情報の値引対象額１００円と５番目の商品情報の価格８０円が比較された際にも、商品価格が値引対象額未満なので値引不成立となる。
【００４２】
また、買物客が商品Ｂに値引シール７１を貼り付けた場合には、値引情報テーブル８２の１番目から３番目までに値引シール７１の値引情報がセットされる。しかし、この場合には、３番目の値引情報の値引対象額５００円と３番目の商品情報、つまり商品Ｂの価格４００円とが比較された際に、商品価格が値引対象額未満なので値引不成立となる。そしてこの場合は、次に、４番目の値引情報、つまり商品Ｃに付されている値引シール７２の値引対象額１００円と３番目の商品情報の価格４００円が比較される。このときには、商品価格が値引対象額以上なので値引成立となる。したがって、商品Ｂは２０円の値引となる。その後、５番目の値引情報は存在しないので、商品Ｃは値引シール７２が貼り付けられているものの値引は行われない。
【００４３】
このように、値引対象額に満たない価格を有する商品に値引シールを貼り付けても不正な値引は行われず、値引対象額以上の価格を有する商品に貼り付けられた有効な値引シールの分だけの値引が一括して行われる。
【００４４】
このように本実施の形態によれば、一取引分の買上商品に付された無線タグのデータを一括して読取らせるだけでその商品販売データの売上処理と同時に値引処理も正確かつ高速に行うことができる。したがって、値引を含んだ商品登録作業を簡略化でき、作業時間の短縮，会計担当者の負担軽減等の効果を奏し得る。
【００４５】
しかも、値引対象額に満たない価格を有する商品に値引シールが貼り付けられていたり、有効期限切れの値引シールが貼り付けられていたりしても、値引は不成立となるので、セキュリティ性を確保できる上、この種の不正を会計担当者が意識する必要がなく、この点においても会計担当者の負担軽減を図ることができる。
【００４６】
したがって、値引クーポンシート７のようなサービス券を安心してかつ効率よく導入できるので、他店との差別化を図ることができ、集客力のアップを期待できるものである。
【００４７】
なお、前記実施の形態では、値引シール７１，７２の値引情報を値引額としたが、割引率であってもよい。この場合は、図７の商品値引処理のＳＴ２５にてＡ番目商品情報中の単価とＢ番目値引情報中の値引対象額とを比較した結果、単価が値引対象額以上であった場合にＡ番目商品情報中の単価とＢ番目値引情報中の割引率とから値引額を算出する。そして、ＳＴ２６にて商品情報テーブル８１におけるＡ番目商品情報の値引額データ（＝０）を算出された値引額に書き換える。
【００４８】
また、値引シール７１，７２を商品に貼り付けずに台６に載せるだけでも同様な値引処理が実行されるので、カードなどの部材に値引用無線タグ７３を設けたものも値引クーポンとして適用することができる。
【００４９】
また、食品を取り扱う小売店では、例えば消費期限切れ間近の商品に図９に示すような値引シール９を貼り付けて値引することがしばしば行われるが、このような場合も本発明は適用できるものである。そこで次に、値引シール９を用いた場合の第２の実施の形態について説明する。なお、前述した第１の実施の形態と共通する部分には同一符号を付し、詳しい説明は省略する。
【００５０】
値引シール９には、その裏面側に値引用無線タグ９１が設けられている。値引用無線タグ９１のメモリ部には、図１０に示すように、ＩＤ以外にタグ種別コード“１”と、値引額及び値引有効期限の値引データが記憶されている。
【００５１】
値引シール９は、店員によってその表面に印刷されている金額を値引する商品に貼り付けられる。各商品には、第１の実施の形態と同様に、当該商品の商品コード，商品名，単価などの商品データが記憶された商品用無線タグ４が予め取り付けられている。そして無線タグリーダライタ２と、そのアンテナ１が埋設された台６と、ＰＯＳ端末５が店の会計に設けられており、この無線タグリーダライタ２で一取引分の買上商品にそれぞれ付された商品用無線タグ４から当該タグが付されている商品に関するデータを読み取り、その読み取ったデータに基づいてＰＯＳ端末５が一取引分の買上商品の販売データを売上げ処理する点は、第１の実施の形態と同様である。
【００５２】
この第２の実施の形態においては、ＰＯＳ端末５のＲＡＭ５３に、図１１に示すように、一取引分の買上商品に付されている値引用無線タグ９１の値引額を合計するための値引額合計器８３が設けられている。
【００５３】
しかして、店の会計担当者が、客の買上商品が台６に全て載せられたのを確認し、ＰＯＳ端末５におけるキーボード５７の登録キーを押下すると、ＰＯＳ端末５では、図１２の流れ図に示す手順の商取引処理がＣＰＵ５１によって実行されるものとなっている。なお、図６に示した第１の実施の形態の商取引処理と共通するステップには同一符号を付し、詳細な説明は省略する。
【００５４】
すなわちＣＰＵ５１は、登録キーが操作入力されたことを検知すると（ＳＴ１）、ＳＴ４２として商品情報テーブル８１と値引額合計器８３をクリアする。なお、商品情報テーブル８１は、値引額エリアを省略可能である。
【００５５】
その後、ＣＰＵ５１は無線タグリーダライタ２に無線タグ読取始動コマンドを送信し（ＳＴ３）、小計キーが操作入力されるまでの期間中、無線タグ読取データが送られてくるのを待機する（ＳＴ４）。そして、商品用無線タグ４の無線タグ読取データを受信したならば、当該無線タグ読取データから商品コード，商品名及び単価を取得し、点数＝１、金額＝単価の各データとともに商品情報テーブル８１に追加格納する（ＳＴ６）。また、オペレータ用ディスプレイ５８及び客用ディスプレイ５９に商品名及び金額を表示させる（ＳＴ７）。
【００５６】
また、値引用無線タグ９１無線タグ読取データを受信したならば（値引データ判断手段）、当該無線タグ読取データから有効期限データを取得し、時計部５４にて計時されている現在日時と比較して有効期限切れか否かを判定する（ＳＴ８：タグ期限判定手段）。そして、有効期限切れでない場合には、ＣＰＵ５１は、ＳＴ４２として当該無線タグ読取データの値引額を値引額合計器８３に加算する（値引データ記憶手段）。
【００５７】
その後、小計キーが操作入力されたことを検知すると（ＳＴ１０）、無線タグリーダライタ２に対して無線タグ読取停止コマンドを送信する（ＳＴ１１）。次に、ＳＴ４３として値引額合計器８３のデータが“０”より大きいか否か、つまりは１取引の買上商品に付されている商品用無線タグ４の読取り動作期間中に値引用無線タグ９１のデータを読取っているか否かを判断する（値引有無判断手段）。そして、値引額合計器８３のデータが“０”より大きい場合には、値引用無線タグ９１のデータを読取っているので、ＣＰＵ５１は、ＳＴ４４として商品情報テーブル８１に記憶されている商品情報の販売金額合計から値引額合計器８３のデータである値引額合計を減算して小計額を算出する（値引演算手段）。そして、この値引後の小計額をオペレータ用ディスプレイ５８と客用ディスプレイ５９に表示させる。以後は、前述した第１の実施の形態と同様に処理される。
【００５８】
例えば今、買物客が、単価７００円の商品Ａを２点と、単価４００円の商品Ｂを１点と、単価２００円の商品Ｃを１点と、単価８０円の商品Ｄを２点の計６点を台６に載せたとする。ここで、商品Ａには２点とも値引額５０円の値引シール９が貼り付けられており、商品Ｂと商品Ｃには値引額２０円の値引シール９が貼り付けられていたとする。この場合には、全買上商品の合計金額２１６０円から各値引シール９の合計金額１４０円が値引されて、小計金額は２０２０円となる。このときのレシート発行例を図１３に示す。
【００５９】
このように第２の実施の形態においても、一取引分の買上商品に付された無線タグのデータを一括して読取らせるだけでその商品販売データの売上処理と同時に値引処理も正確かつ高速に行うことができる。また従来は、値引シール９の表面に印刷されている情報を複写しさすれば値引シール９を偽造することが可能であり、この偽造された値引シール９によって不正な値引が行われる場合があったが、本実施の形態によれば値引用無線タグ９１が必要となるので、値引シール９の偽造が困難である利点もある。
【００６０】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６１】
【図１】本発明の実施の形態におけるシステム構成を示す模式図。
【図２】同実施の形態で用いる商品用無線タグのメモリデータ構造を示す模式図。
【図３】同実施の形態で用いる値引クーポンシートの一例を示す平面図。
【図４】同実施の形態で用いる値引用無線タグのメモリデータ構造を示す模式図。
【図５】同実施の形態においてＰＯＳ端末のＲＡＭに形成される主要なメモリエリアを示す模式図。
【図６】同実施の形態においてＰＯＳ端末のＣＰＵが実行する商取引処理の腰部手順を示す流れ図。
【図７】図６における商品値引処理を具体的に示す流れ図。
【図８】同実施の形態において発行されるレシートの一例を示す平面図。
【図９】本発明の第２の実施の形態で用いる値引シールの一例を示す平面図。
【図１０】同第２の実施の形態で用いる値引用無線タグのメモリデータ構造を示す模式図。
【図１１】同第２の実施の形態においてＰＯＳ端末のＲＡＭに形成される主要なメモリエリアを示す模式図。
【図１２】同第２の実施の形態においてＰＯＳ端末のＣＰＵが実行する商取引処理の腰部手順を示す流れ図。
【図１３】同第２の実施の形態において発行されるレシートの一例を示す平面図。
【符号の説明】
【００６２】
１…アンテナ、２…無線タグリーダライタ、４…商品用無線タグ、５…ＰＯＳ端末、６…台、７…値引クーポンシート、９，７１，７２…値引シート、７３，９１…値引用無線タグ、８１…商品情報テーブル、８２…値引情報テーブル、８３…値引合計器。
【図１】
2006227997.tif 000003
【図２】
2006227997.tif 000004
【図３】
2006227997.tif 000005
【図４】
2006227997.tif 000006
【図５】
2006227997.tif 000007
【図６】
2006227997.tif 000008
【図７】
2006227997.tif 000009
【図８】
2006227997.tif 000010
【図９】
2006227997.tif 000011
【図１０】
2006227997.tif 000012
【図１１】
2006227997.tif 000013
【図１２】
2006227997.tif 000014
【図１３】
2006227997.tif 000015